(57)【特許請求の範囲】
【請求項１】
水道メータとガス遮断装置を外部通信手段により接続し、前記ガス遮断装置のガス流量信号と前記水道メータの水量信号に基づいて給湯機の空焚きを監視するガス遮断装置であって、
前記水道メータには、通過水量に対応した水量信号を出力する水量検出手段と、前記水量信号より器具の使用状態を報知する水道メータ用外部通信手段とを備え、
前記ガス遮断装置には、前記水道メータと通信するガス遮断装置用外部通信手段と、通過ガス流量に対応したガス流量信号を出力するガス流量検出手段と、前記ガス流量信号から使用中のガス器具を推定する使用器具推定部と、遮断信号を出力する遮断弁駆動部と、前記遮断信号によりガス通路を遮断するガス遮断弁とを備え、
前記使用器具推定部が通過ガス流量から給湯機の使用を推定し給湯機使用中信号を出力しているとき、前記水道メータから未使用報知信号が送信された場合、給湯機の空焚き状態と判断し遮断信号を出力するようにしたガス遮断装置。
【請求項２】
水道メータとガス遮断装置を外部通信手段により接続し、前記ガス遮断装置のガス流量信号と前記水道メータの水量信号に基づいてガス漏れを監視するガス遮断装置であって、
前記水道メータには、通過水量に対応した水量信号を出力する水量検出手段と、前記水量信号が未検出状態となっている間を計数する水量未使用時タイマと、前記水量未使用時タイマが一定時間経過したことを報知する水道用外部通信手段とを備え、
前記ガス遮断装置には、外部の所定の場所及び前記水道メータと通信するガス遮断装置用外部通信手段と、通過ガス流量に対応したガス流量信号を出力するガス流量検出手段と、ガス漏れ状態を判定し警報信号を出力する漏れ判定部と、前記警報信号より外部にガス漏れが発生していることを警報・報知する外部表示手段とを備え、
前記漏れ判定部は前記水道メータからの未使用一定時間経過信号を検出してから、前記ガス流量検出手段でガス流量信号を検出した場合、ガス漏れ状態であると判断し警報信号を出力するようにしたガス遮断装置。
【発明の詳細な説明】
【０００１】
【発明の属する技術分野】
本発明は、ガス使用上の安全性・利便性を図るガス遮断装置に関するものである。
【０００２】
【従来の技術】
従来のこの種のガス遮断装置は、図５に示されているように、ガス流量検出手段２２は通過ガス流量に対応して流量信号を出力する。その流量信号を受けて使用器具推定部２３は使用中のガス器具を推定し、その使用状態から異常が検出されれば遮断要求信号が出力され、その遮断要求信号を受けて遮断弁駆動部２４で遮断信号を出力するとガス遮断弁２５によりガス通路が遮断される。また、ガス使用状態に異常がある場合に使用器具推定部２３から出力される遮断要求信号を外部に報知するため、集中監視装置などの外部の所定の場所と通信するガス遮断装置用外部通信手段２１を備えている。
【０００３】
【発明が解決しようとする課題】
しかしながら、従来のガス遮断装置では、通過ガス流量によりガス器具を推定しその推定されたガス器具についての使用状態の中から異常となるような状態が起こった場合にのみ遮断要求信号を出力しガス通路を遮断して安全を確保することから、例えば推定されたガス器具が給湯機であったとすると、給湯機に水が供給されていない場合などでも給湯機のガス使用状態は異常でないと推定し、給湯機にガスの供給が続けられ空だき燃焼を続けてしまうというような課題を有していた。
【０００４】
また、通過ガス流量のみからガス器具の状態を推定することになるため、ガス管の亀裂からの漏れ流量のような微少流量を漏れ流量と判定するには、３０日間等に及ぶ長期間の使用ガス流量の監視状態により決定しなければならないという課題を有していた。
【０００５】
【課題を解決するための手段】
本発明は上記の課題を解決するために、水道メータとガス遮断装置を外部通信手段により接続し、前記ガス遮断装置のガス流量信号と前記水道メータの水量信号に基づいて給湯機の空焚きを監視するようにし、その具体的構成として、水道メータには、通過水量に対応した水量信号を出力する水量検出手段と、前記水量信号より器具の使用状態を報知する水道メータ用外部通信手段とを備え、前記ガス遮断装置には、前記水道メータと通信するガス遮断装置用外部通信手段と、通過ガス流量に対応したガス流量信号を出力するガス流量検出手段と、前記ガス流量信号から使用中のガス器具を推定する使用器具推定部と、遮断信号を出力する遮断弁駆動部と、前記遮断信号によりガス通路を遮断するガス遮断弁とを備え、前記使用器具推定部が通過ガス流量から給湯機の使用を推定し給湯機使用中信号を出力しているとき、前記水道メータから未使用報知信号が送信された場合、給湯機の空焚き状態と判断し遮断信号を出力するようにしたものである。
【０００６】
上記第一の発明によれば、ガス使用状態からガス器具を推定することによりガス使用状態のみを監視するのではなく、例えば給湯機と推定された場合には水道メータからの使用状態の情報をあわせ、給湯機の空だきに対する安全状態を監視することができ、ガス使用者の安全性を向上することができる。
【０００７】
また、水道メータとガス遮断装置を外部通信手段により接続し、前記ガス遮断装置のガス流量信号と前記水道メータの水量信号に基づいてガス漏れを監視するようにし、その具体的手段として、前記水道メータには、通過水量に対応した水量信号を出力する水量検出手段と、前記水量信号が未検出状態となっている間を計数する水量未使用時タイマと、前記水量未使用時タイマが一定時間経過したことを報知する水道用外部通信手段とを備え、前記ガス遮断装置には、外部の所定の場所及び前記水道メータと通信するガス遮断装置用外部通信手段と、通過ガス流量に対応したガス流量信号を出力するガス流量検出手段と、ガス漏れ状態を判定し警報信号を出力する漏れ判定部と、前記警報信号より外部にガス漏れが発生していることを警報・報知する外部表示手段とを備え、前記漏れ判定部は前記水道メータからの未使用一定時間経過信号を検出してから、前記ガス流量検出手段でガス流量信号を検出した場合、ガス漏れ状態であると判断し警報信号を出力するようにしたものである。
【０００８】
上記第二の発明によれば、ガス管からの漏れ流量をガス使用状態を長期間監視することにより決定するのではなく、水道メータからの使用状態の情報とあわせて判定することによりガス使用状態の監視期間を短くし、判定をより確実にすることができ、ガス使用者の利便性を向上することができる。
【０００９】
本発明は、水道メータとガス遮断装置を外部通信手段により接続し、前記ガス遮断装置のガス流量信号と前記水道メータの水量信号に基づいて給湯機の空焚きを監視するガス遮断装置であって、前記水道メータには、通過水量に対応した水量信号を出力する水量検出手段と、前記水量信号より器具の使用状態を報知する水道メータ用外部通信手段とを備え、前記ガス遮断装置には、前記水道メータと通信するガス遮断装置用外部通信手段と、通過ガス流量に対応したガス流量信号を出力するガス流量検出手段と、前記ガス流量信号から使用中のガス器具を推定する使用器具推定部と、遮断信号を出力する遮断弁駆動部と、前記遮断信号によりガス通路を遮断するガス遮断弁とを備え、前記使用器具推定部が通過ガス流量から給湯機の使用を推定し給湯機使用中信号を出力しているとき、前記水道メータから未使用報知信号が送信された場合、給湯機の空焚き状態と判断し遮断信号を出力するようにしたものである。
【００１０】
上記構成によれば、水道メータと通信することのできるガス遮断装置用外部通信手段と、大流量を推定したときにガス給湯機を使用中として給湯機使用中信号を出力する使用器具推定部を具備することにより、給湯機を使用中に水道メータの使用状態を監視することができるようになる。
【００１１】
流量検出手段から出力される流量信号からガス器具を推定する使用器具推定部が給湯機のような大流量を推定したときに出力される給湯機使用中信号と水道メータとの通信結果が水量未使用状態であったとき、遮断弁駆動部が遮断信号を出力することでガス遮断弁がガス通路を遮断し、ガス給湯機の空だきを防止してガスの使用状態の安全を確保することができる。
【００１２】
また、水道メータとガス遮断装置を外部通信手段により接続し、前記ガス遮断装置のガス流量信号と前記水道メータの水量信号に基づいてガス漏れを監視するガス遮断装置であって、前記水道メータには、通過水量に対応した水量信号を出力する水量検出手段と、前記水量信号が未検出状態となっている間を計数する水量未使用時タイマと、前記水量未使用時タイマが一定時間経過したことを報知する水道用外部通信手段とを備え、前記ガス遮断装置には、外部の所定の場所及び前記水道メータと通信するガス遮断装置用外部通信手段と、通過ガス流量に対応したガス流量信号を出力するガス流量検出手段と、ガス漏れ状態を判定し警報信号を出力する漏れ判定部と、前記警報信号より外部にガス漏れが発生していることを警報・報知する外部表示手段とを備え、前記漏れ判定部は前記水道メータからの未使用一定時間経過信号を検出してから、前記ガス流量検出手段でガス流量信号を検出した場合、ガス漏れ状態であると判断し警報信号を出力するようにしたものである。
【００１３】
上記構成によれば、水量信号が検出されない間を計数する水量未使用時タイマと、水量未使用時タイマが一定時間経過した場合に外部の所定の場所とガス遮断装置に報知する水道メータ用外部通信手段とを具備することにより、水量未使用時間が一定時間経過した時点で水道メータ用外部通信手段よりガス遮断装置用外部通信手段に水量の未使用状態を報知することができる。
【００１４】
ガス遮断装置用外部通信手段により水量未使用状態の通信結果を受け取ったとき、流量検出手段により検出されるガス流量信号を漏れ判定部受け取るとガス漏れが発生していることを外部表示手段により外部に報知すると共に、ガス遮断装置用外部通信手段により外部の所定の場所にガス漏れを報知することができる。
【００１５】
【実施例】
以下、本発明の実施例について図面を用いて説明する。
【００１６】
（実施例１）
図１は本発明の実施例１のガス遮断装置と水道メータの構成を示すブロック図である。図２は本発明の実施例１のガス遮断装置の動作を示すフロー図である。
【００１７】
図１において、通過水量に対応した水量信号を出力する水量検出手段１１と、水量信号より水量の使用状態を外部の所定の場所とガス遮断装置２に報知する水道メータ用外部通信手段１２とを有する水道メータ１と、水道メータ１と通信するガス遮断装置用外部通信手段２１と、通過ガス流量に対応したガス流量信号を出力するガス流量検出手段２２と、ガス流量信号から使用中のガス器具を推定し通過ガス流量が給湯機の使用中に相当するようであれば給湯機使用中信号を出力する使用器具推定部２３と、給湯機使用中信号とガス遮断装置用外部通信手段２１からの前記水道メータ１の未使用状態の通信結果により遮断信号を出力する遮断弁駆動部２４と、遮断信号によりガス通路を遮断するガス遮断弁２５とを有するものである。
【００１８】
次に図２のフロー図において、水量検出手段１１で水量信号が検出されず、ガス流量検出手段２２でガス流量信号を検出されたことより開始するものとする。
【００１９】
ステップＴ１は、ガス器具推定処理で検出されたガス流量信号より使用器具推定部２３においてガス器具を推定し、ガス流量がある一定の量（例えば、ガス給湯機がシャワーを使っている状態やお風呂のお湯はり時に使用されているときのガス流量を一定量とする。）を越えた場合に給湯機使用中信号を出力し、ステップＴ２へ移行する。ガス流量が一定の量を越えていない場合はガス給湯機以外のガス流量と判定し、開始状態になるまで待機する。
【００２０】
ステップＴ２は、水量使用情報取得処理でガス遮断装置用外部通信手段２１により水道メータ用外部通信手段１２と通信し、水道メータ１の使用状況が未使用状態であることを取得してステップＴ３へ移行する。
【００２１】
ステップＴ３は、遮断判定処理で遮断弁駆動部２４によりガス遮断装置用外部通信手段２１からの水道メータ１の未使用状態であることの通信結果と、使用器具推定部２３からの給湯器使用中信号から、ガス流量は大流量を検出しており、ガス給湯機が使用されていることが推定されているにもかかわらず、水道メータは未使用状態であることから、ガス給湯機が空だき状態になっていると判定し、遮断信号を出力してステップＴ４に移行する。
【００２２】
ステップＴ４は、ガス遮断処理で遮断弁駆動部２４により出力された遮断信号よりガス遮断弁２５を駆動し、ガス通路を遮断することでガス給湯機へガスの供給を停止する。ガスの供給を停止することによりガス使用の安全を確保し、処理を終了する。
【００２３】
（実施例２）
図３は本発明の実施例２のガス遮断装置と水道メータの構成を示すブロック図である。図４は本発明の実施例２のガス遮断装置の動作を示すフロー図である。
【００２４】
図３において、通過水量に対応した水量信号を出力する水量検出手段１１と、水量信号より水量未検出状態となっている間を計数する水量未使用時タイマ１３と、水量未使用時タイマ１３が一定時間経過したことを外部の所定の場所とガス遮断装置２に報知する水道メータ用外部通信手段１２とを有する水道メータ１と、外部の所定の場所や水道メータ１と通信するガス遮断装置用外部通信手段２１と、通過ガス流量に対応したガス流量信号を出力するガス流量検出手段２２と、水道メータ１の未使用状態が一定時間経過したことの通信結果とガス流量信号により警報信号を出力する漏れ判定部２６、前記警報信号より外部にガス漏れが発生していることを警報・報知する外部表示手段２７と、警報信号より外部の所定の場所へガス漏れが発生していることを警報・報知するガス遮断装置用外部通信手段２１とを有するものである。
【００２５】
次に図４のフロー図において、水量検出手段１１において水量信号が検出されないために水量未使用時タイマ１３が一定時間（例えば、ガス利用者が在宅で有れば必ず水道水が使用されるような時間として２４時間を一定時間とする。）を越えたことから開始する。
【００２６】
ステップｔ１は、水量未使用状態報知処理で水道メータ用外部通信手段１２より水量未使用状態をガス遮断装置に送信し、ステップｔ２へ移行する。
【００２７】
ステップｔ２は、ガス漏れ判定処理で、ガス遮断装置用外部通信手段２１により水量の未使用状態が検出されている間に、漏れ判定部２６によりガス流量信号が検出されていないか判定し、ガス流量信号が検出されていれば、ガス器具の使用上のガス流量ではなく、漏れ流量と判定し、警報信号を出力してステップｔ３へ移行する。
【００２８】
ステップｔ３は、漏れ判定部２６により出力された警報信号をＬＥＤなどをもちいた外部表示手段２７に漏れ警報の信号として報知することと、ガス遮断装置用外部通信手段２１を利用して外部の所定の場所に、漏れ警報を通報することによりガス利用上の安全性を確保することで処理を終了する。
【００２９】
【発明の効果】
以上のように本発明によれば、水道メータの使用状況とガス使用状況を合わせてガス器具の監視を行うことができ、そしてガス給湯機のようなガス器具の空だきを防止することができるなどのガス利用の安全を確保するための細かい対応を行うことができるので、ガスの利用者の利便性を向上することができる。
【００３０】
また、水道水が使用されていない期間を水道メータで検出し、その情報をガス使用状況と合わせて監視を行うことができ、水量水が使用されていない期間にガスの微少流量などを漏れ流量と判別することにより、ガス漏れ流量の監視期間を短縮することができ、ガスの利用者の利便性を向上することができる。
【図面の簡単な説明】
【図１】本発明の実施例１のガス遮断装置のブロック図
【図２】同ガス遮断装置のフロー図
【図３】本発明の実施例２のガス遮断装置のブロック図
【図４】同ガス遮断装置のフロー図
【図５】従来のガス遮断装置のブロック図
【符号の説明】
１  水道メータ
２  ガス遮断装置
１１  水量検出手段
１２  水道メータ用外部通信手段
１３  水量未使用タイマ
２１  ガス遮断装置用外部通信手段
２２  ガス流量検出手段
２３  使用器具推定部
２４  遮断弁駆動部
２５  ガス遮断弁
２６  漏れ判定部
２７  外部表示手段
【図１】
0003928240.tif 000002
【図２】
0003928240.tif 000003
【図３】
0003928240.tif 000004
【図４】
0003928240.tif 000005
【図５】
0003928240.tif 000006